(57)【特許請求の範囲】
【請求項１】
シリコーンゴム層を有する平版を、前処理工程部、現像工程部、後処理工程部および水洗工程部を有する自動現像機を用いて搬送ロールで搬送しながら、上記シリコーンゴム層をブラシロールで擦って現像する平版の現像方法において、ブラシロールを回転および／またはロール方向に往復させ、画像部におけるシリコーンゴム層を物理的に除去するとともに、前記ブラシロールの下流側に設けた搬送ロールに接したライダーロールを備え、前記ブラシロールの下流側に設けた搬送ロールの周速と、該搬送ロールに接したライダーロールの周速を異なった値に設定することにより、該搬送ロールに随伴したシリコーンゴム層のカスを細かくすることを特徴とする平版の現像方法。
【請求項２】
前記ブラシロールの下流側に設けた搬送ロールの周速と、搬送ロールに接したライダーロールの周速を、０．２≦搬送ロールの周速／ライダーロールの周速≦０．９５または０．２≦ライダーロールの周速／搬送ロールの周速≦０．９５に設定することを特徴とする請求項２に記載の平版の現像方法。
【発明の詳細な説明】
【技術分野】
【０００１】
本発明は、シリコーンゴム層を有する平版を自動現像機で現像する方法に関するものである。
【背景技術】
【０００２】
シリコーンゴム層を有する平版は、公知の方法により画像露光処理が施されて現像されるが、現像方法としては主に自動現像機が使用されている。自動現像機を用いて現像処理を行う場合、板状の印刷原版を搬送ロールで搬送しながら、１〜４本のブラシロールで画線部のシリコーンゴム層を除去するという現像方法が一般的である（たとえは特許文献１）。
【０００３】
このように現像にブラシロールを用いるのは、表面のシリコーンゴム層が一般的に不溶解性であるため、機械的な力で擦りとる必要があり、加えてこの目的を満たすための実用上最も効率的な手段であることによる。
【特許文献１】特開平８−２３４４４６号公報（特許請求の範囲）
【発明の開示】
【発明が解決しようとする課題】
【０００４】
しかしながら、シリコーンゴム層を有する平版を自動現像機において現像する際、ブラシロールでシリコーンゴム層を除去すると、このシリコーンゴム層は版面上から除去されて、シリコーンゴムのカスとなる。しかしカスは不溶解性であるため、ブラシロールの下流にある搬送ロールに付着することがある。搬送ロールにシリコーンゴムのカスが付着することにより、平版の搬送性の低下を生じたり、液切れ性が悪くなることがあり、それにより、現像性が変化し、品質上の問題を引き起こすこととなる。そのため搬送ロールのシリコーンゴムのカスを除去するため定期的に搬送ロール清掃をする必要があった。すなわち本発明はシリコーンゴム層を有する平版を自動現像機において安定して現像する方法を提供することを課題とする。
【課題を解決するための手段】
【０００５】
本発明においては、シリコーンゴム層を有する平版を、前処理工程部、現像工程部、後
処理工程部および水洗工程部を有する自動現像機を用いて搬送ロールで搬送しながら、上
記シリコーンゴム層をブラシロールで擦って現像する平版の現像方法において、ブラシロ
ールを回転および／またはロール方向に往復させ、画像部におけるシリコーンゴム層を物
理的に除去するとともに、前記ブラシロールの下流側に設けた搬送ロールに接したライダ
ーロールを備え、前記ブラシロールの下流側に設けた搬送ロールの周速と、該搬送ロールに接したライダーロールの周速を異なった値に設定することにより、該搬送ロールに随伴したシリコーンゴム層のカスを細かくすることで、上記課題を解決することができる。
【発明の効果】
【０００６】
本発明の現像方法によれば、シリコーンゴムのカスが搬送ロールに付着することが無くなり、定期的に搬送ロールを清掃しなくても搬送性や品質に問題が生じず、安定して現像することができる。
【発明を実施するための最良の形態】
【０００７】
本発明の現像方法は、シリコーンゴム層を有する平版を自動現像機において現像する工程に用いられるものである。本発明に用いるシリコーンゴム層を有する平版について説明する。本発明のシリコーンゴム層を有する平版は、基板上に少なくとも露光により隣接する層との接着力が変化する層とシリコーンゴムを主成分とする層を有する構成を持つものが好ましい。より具体的には特開２００５−３０９１２６号、特開２０００−４７３７７号公報に記載された水なし平版印刷版原版を挙げることができる。
【０００８】
次にシリコーンゴム層を有する平版の製版方法を説明する。露光部が画線部となるネガ型・露光部が非画線部となるポジ型平版の場合は、通常保護フィルム上に原図フィルムを配して活性光線により画像露光を行い、その後保護フィルムを除去した後、現像することによって画像を形成することができる。また、直描型平版の場合は、保護フィルムを有する原版についてはそのままもしくは保護フィルムを剥離してから、レーザー光で画像を露光する。その後、保護フィルムを有するものは剥離した後、無いものはそのまま現像することによって画像を形成することができる。
【０００９】
本発明においてはシリコーンゴム層を有する平版を自動現像機で現像する工程において
搬送ロールにシリコーンゴムのカスが付着することをライダーロールにより防止すること
が特徴であり、また搬送ロールの周速と、ライダーロールの周速を異なった値に設定する
ことが必要である。
【００１０】
本発明の自動現像機としては平版を現像できるものであれば限定されるものではないが、好ましくは少なくとも前処理液工程部と現像工程部、後処理工程部および水洗工程部がこの順に設けられている自動現像機を用いるのかよい。自動現像機の具体的な例としては、東レ（株）製のＴＷＬ−１１６０Ｆ、ＴＷＬ−８６０Ｆ、ＴＷＬ−６５０Ｆなどの自動現像機、あるいは、特開平５−２２７２号公報、特開平５−６０００号公報がなどに開示されている自動現像機を挙げることができる。
【００１１】
以下、本発明に好適に使用できる自動現像機の実施の形態について、図１を参照しながら詳細に説明する。
【００１２】
自動現像機の前処理工程部には、例えば特開２００５−３３８５８０号公報に記載の製版用処理液である製版用処理液１、すなわち（１）ジエチレングリコールモノ−２−エチルヘキシルエーテル：１９重量部、（２）ポリプロピレングリコール＃２００：７２重量部、（３）２−（２−アミノエチルアミノ）エタノール ： ９重量部、（４）水 ： １重量部を入れ、現像工程部には水を入れ、後処理工程部には現像の確認を容易にするためシリコーンゴム層以外を染色する染色液として例えば特開平９−３４１３２号公報に記載の実施例３染色液、すなわち（１）クリスタルバイオレット（塩基性染料、保土谷化学工業（株）製）、０．１０重量部、（２）Brilliant Basic Cyanine 6GH （塩基性染料、保土谷化学工業（株）製）、０．４０重量部、（３）シノリンＳＯ−３５（２エチルヘキシル硫酸ナトリウム、４０％水溶液、アニオン性界面活性剤、新日本理化（株）製）５．００重量部、（４）ブチルカルビトール １０重量部、（５）ＫＳ−５０２（信越化学工業（株）製、消泡剤）０．００２重量部、（６）純水 ８４．４９８重量部を入れ、水洗工程部には水を入れて現像を行う。
【００１３】
挿入台１２より挿入された平版１は搬送ロール２により所定の速度で搬送され、前処理工程部では、上記処理液を所定の温度でシャワーパイプ４より平版１の版面上に供給され、その後、現像工程部でシャワーパイプ４より水を供給しつつブラシロール５で版面上のシリコーンゴム層を除去する。その後、後処理工程部において、染色液をシャワーパイプ４より供給しながらブラシロール６でシリコーンゴム層が除去された画像部を染色し、モルトンロール３でシリコーンゴム層上等に残る染色液を除去する。さらに水洗工程部においてシャワーパイプ４より水を平版１に上下両方より供給し、平版１に残るシリコーンゴムのカスや染色液を洗い流し、ファン１１で版表面の水気を乾燥させることで印刷版が作成される。
【００１４】
現像に用いるブラシロール５としては金属あるいはプラスチックなどの溝型材に直径１００〜５００μｍのブラシ単糸を列状に植え込んだものを芯に取り付けたものを用いることが好ましい。また、上記ブラシ単糸を金属あるいはプラスチックなどの芯に放射線状に植え込んだものでもよく、上記ブラシ単糸をプラスチックシートあるいは布などの基材に植え込んだものを、金属あるいはプラスチックなどを芯として巻いたものでもよい。また、ブラシ単糸の素材としてはポリ塩化ビニル、ポリアミド、ポリエチレンテレフタレート、ポリブチレンテレフタレートおよびポリプロピレンなどが挙げられる。
【００１５】
またブラシロール５の回転数は、１０〜１０００ｒｐｍ、さらに好ましくは２００〜６００ｒｐｍであることが好ましい。さらにブラシロール５を回転すると共に、軸方向へ往復運動させると、シリコーンゴム層除去効果が向上するため好ましい。ブラシの回転方向としては、平版の搬送方向と同方向でも逆方向でも良いが、同方向が好ましく、同方向のものの後に逆方向のものを併設することが更に好ましい。ブラシロール５は下に平版１を支えるためにブラシ受けロール８が設置されている。
【００１６】
搬送ロール２は、平版１に対して上下対に配置されており、搬送ロール２対は測板に支持されて、駆動手段の駆動力が伝達されて回転し、平版１を所定速度で搬送するようになっている。搬送ロール対は上側と下側のロール表面にゴムが巻かれていても良いし、上側のみロール表面にゴムが巻かれていて、下側のロールの素材は金属となっていても良い。ゴムの材質としては、シリコーンゴム層を傷つけず、処理薬品に耐えるものであればいかなるものでも使用することができる。好ましくは、シリコーンゴム、ポリブタジエンゴム、エチレンプロピレンゴム、ポリクロロプレンゴム、ニトリルゴム、スチレンブタジエンゴム、ブチルゴム、アクリルニトリルブタジエンゴム、フッ化炭化水素ゴムでなどを使用することができる。ゴム硬度は１０〜１００度が好ましく、より好ましくは２０〜４０度である。なお、ゴム硬度はＪＩＳＫ６２５３のデュロメーター  タイプＡ  スプリングで測定した値である。搬送ロールにゴムを巻いている場合クラウン加工されていることが好ましい。
【００１７】
さらに上記した搬送ロール２対の平版１の挟持圧力は０．０１〜２０ｋｇ／ｃｍ２に設定することが好ましく、０．０３〜２．０ｋｇ／ｃｍ２に設定することがより好ましい。
【００１８】
上記ブラシロール５の下流にある搬送ロール２にライダーロール１０を取り付けること
が本発明の特徴であり、また搬送ロールの周速と、ライダーロールの周速を異なった値に
設定することが条件として挙げられる。
【００１９】
前処理工程部、現像工程部や水洗工程部の入り口にある搬送ロール２についているライダーロール９はロールにかかる液が搬送ロール２から版面をつたって前の工程に流れでることを防止する目的で取り付けられている。ライダーロール１０は搬送ロール２に付着したシリコーンゴムのカスを細かくし、搬送ロール２に付着させないことが目的である。ブラシロール５によって物理的に擦り取られたシリコーンゴムのカスは現像液や水により工程部内に流れ落ちて、フィルタに捕集されるものもあるが、版面上についたまま搬送され、下流の搬送ロール２に付着するものもある。搬送ロール２にシリコーンゴムのカスが付着することにより搬送性が低下したり、また搬送ロール２での液の切れが悪くなることで、後工程へ現像液が持ち込まれ、現像性に変動が生じ、品質に問題がおきることがある。
【００２０】
ライダーロール１０は、搬送ロール２対の上側ロールの上部に接して設置し、搬送ロール２との間に一定の圧力かけることが好ましい。搬送ロール２へのライダーロール１０の圧力についてはローラーニップ圧調整用ボルト１７で上から押し込むことにより調整できる。好ましい押し込み量は搬送ロール２の材質、ライダーロール１０の材質により異なるが、たとえば搬送ロール２の材質がブチルゴム、ライダーロール１０の材質がステンレス（ＳＵＳ３０４）であれば、０．４ｍｍ〜１．６ｍｍであることが好ましい。押し込み量が０．４ｍｍ以上であればシリコーンゴムのカスを十分細かくすることができ、１．６ｍｍ以下であれば搬送ロール２対の上側ロールを破損させる可能性が少なくなる。圧力の調整方法は、限定されるものではないが、例えばライダーロール１０のロール径の変更やパイプ状に加工することでも調整できる。
【００２１】
また、より効果的にシリコーンゴムのカスを細かくし、搬送ロール２に付着させないためには、搬送ロール２の周速と、ライダーロール１０の周速を異なった値に設定することが必要であり、搬送ロール２の周速Ｖ２、ライダーロール１０の周速をＶ１０として、０．２≦Ｖ２／Ｖ１０≦０．９５または０．２≦Ｖ１０／Ｖ２≦０．９５であることが好ましく、０．８≦Ｖ２／Ｖ１０≦０．９または０．８≦Ｖ１０／Ｖ２≦０．９であることがより好ましい。Ｖ２とＶ１０との周速差が０．２≦Ｖ２／Ｖ１０≦０．９５または０．２≦Ｖ１０／Ｖ２≦０．９５であれば、シリコーンゴムのカスを細かくすることができ搬送ロール２にシリコーンゴムのカスが付着しなくなり好ましい。
【００２２】
ライダーロール１０は搬送ロール２と同様に測板によって支持され、回転するように構
成されている。ライダーロール１０を取り付けることで搬送ロール２上にシリコーンゴム
のカスが付着しなくなるのは、版面上から搬送ロール２に付着したシリコーンゴムのカス
をライダーロール１０によって細かくされることでローラから流れ落ち易くなっていると
考えられる。さらにライダーロール１０と搬送ロール２の上側ロールの周速を異なった値
に設定することにより、発生したずり応力で搬送ロール２上のシリコーンゴムのカスをよ
り細かくできローラから流れ落ち易くなる効果を得ることができる。
【００２３】
ライダーロール１０と搬送ロール２の上側ロールの周速を異なった値とする方法としては、例えば図２に示すギヤ１６を使用しギヤ比変更により周速を異なった値とする方法、ライダーロール１０と搬送ロール２の上側ロール別駆動にする方法などが挙げられ、いかなる方法でもよいが、作業性、費用面からギヤ比変更による方法がより良い。
【００２４】
現像工程部におけるブラシロール５と、その上流と下流にある搬送ロール２との間にはシャワーパイプ４が配置されている。上流の搬送ロール２とブラシロール５の間のシャワーパイプ４はブラシロール５に対向してシャワー吐出口が軸方向に沿って適当な間隔で設けられている。下流の搬送ロール２とブラシロール５の間のシャワーパイプ４は下流の搬送ロール２に対向して吐出口が軸方向に沿って適当な間隔で設けられている。また後処理工程部におけるブラシロール６と、その上流と下流にある搬送ロール２との間に配置されているシャワーパイプ４も同様である。搬送ロール２から流れ落ちたシリコーンゴムのカスは循環ポンプ１３で循環されている場合は循環ポンプ１３の後にあるフィルター１４に捕集され、オーバーフロー口のある現像工程部ではオーバーフロー口の後に設けられているカス取りネット１５に捕集される。ライダーロール９、１０の材質としては現像液に侵されず、搬送ロール２を傷つけないようなものであればよいが、好ましくは耐久性の面から金属製がよい。例えば鉄、アルミニウム、銅、ステンレス、ニッケル、チタンなどやこれらの合金類が使用できる。
【００２５】
前処理工程部、現像工程部や後処理工程部および水洗工程部で使用されている循環ポンプ１３としては市販の汎用ポンプが使用できる。また循環ポンプ１３の後のシリコーンゴムのカスを捕集するフィルター１４として、濾過精度が１０〜５００μｍのものを使用することが好ましく、１０〜３００μｍのものを使用することがより好ましい。カス取りネットとしては市販の洗濯ネットの細かいメッシュの物が使用できる。好ましくは目開きが０．１〜１ｍｍのものが使用できる。
【００２６】
このようにブラシロール５、６で現像されたシリコーンゴムのカスが搬送ロール２に付着することを防止することで、現像品質の良いシリコーンゴム層を有する平版を得ることができる。
【実施例】
【００２７】
以下、実施例によって本発明をさらに詳しく説明するが、本発明はこれらに限定されるものではない。
【００２８】
なお、搬送ロール上のシリコーンゴムのカスの付着は、デジタルカメラ（Ｎｉｋｏｎ製ＣＯＯＬＰＩＸ＿Ｓ８）で写真を撮り、Ａｄｏｂｅ＿Ｐｈｏｔｏｓｈｏｐ＿ＣＳ２を用い２値化し、以下の基準で判断した。
＜シリコーンゴムのカスの付着面積の割合＞
◎：０％
○：０％〜１０％
△：１０％〜５０％
×：５０％〜１００％
【００２９】
（参考例１）
自動現像機として水なし平版印刷版用自動現像機ＴＷＬ−１１６０Ｆ（東レ（株）製）
を使用した。前処理工程部にＣＰ−１（東レ（株）製、水なし平版印刷版用前処理液）を
入れ、現像工程部には水を、後処理工程部にはＰＡ−Ｆ（東レ（株）製、水なし平版用現
像後処理液）を、水洗工程部には水を入れた。現像工程部のブラシロールの下流にある搬
送ロールの上部にφ２５ｍｍのライダーロールを取り付けた。
【００３０】
縦８００ｍｍ×横１０３０mm のＴＡＣ−ＶＧ５（東レ（株）製、直描型水なし平版）をイメージセッターＧＸ３９４０（松下電送システム（株）製）に巻き付けて固定し、２４００ｄｐｉ、１７５線／インチ、１７５ｍＪ／ｃｍ２で画線部が５０％となるように画像を出力した後、版から保護フィルムを剥離した。保護フィルムを剥離した版を３０版、自動現像機に通版した。なお搬送ロール２の材質はブチルゴム、ライダーロール１０の材質はステンレス（ＳＵＳ３０４）であり、搬送ロール２へのライダーロール１０の押し込み量は０ｍｍで行った。また搬送ロール２とライダーロール１０の周速はいずれも８０ｃｍ／分とした。ライダーロール１０を取り付けた搬送ロール２には３０版ではシリコーンゴムのカスがみられなかった。結果を表１に示す。
【００３１】
（比較例１）
現像工程部のブラシロール５の下流にある搬送ロール２の上部にφ２５ｍｍ、ステンレス（ＳＵＳ３０４）のライダーロール１０を取り付けなかった以外は実施例１と同様にして、版を３０版通版した。その結果、ブラシロール５の下流にある搬送ロール２の上側にも下側にもシリコーンゴムのカスが付着していた。その後版を通版したところ搬送ロール２での液切れ性が悪く、版面上に水がついたまま後処理工程部へ通版される状態となった。結果を表１に示す。
【００３２】
（参考例２）
搬送ロール２へのライダーロール１０の押し込み量を０．２ｍｍとした以外は参考例１
と同様にして、３０版を通版した。ライダーロール１０を取り付けた搬送ロール２には３
０版ではシリコーンゴムのカスがみられなかった。結果を表１に示す。
【００３３】
（参考例３）
搬送ロール２へのライダーロール１０の押し込み量を０．４ｍｍとした以外は参考例１
と同様にして、３０版を通版した。ライダーロール１０を取り付けた搬送ロール２には３
０版ではシリコーンゴムのカスがみられなかった。結果を表１に示す。
【００３４】
（参考例４）
搬送ロール２へのライダーロール１０の押し込み量を１．６ｍｍとした以外は参考例１
と同様にして、３０版を通版した。ライダーロール１０を取り付けた搬送ロール２には３
０版ではシリコーンゴムのカスがみられなかった。結果を表１に示す。
【００３５】
（実施例１）
搬送ロール２とライダーロール１０の周速差をＶ１０／Ｖ２＝０．９５（Ｖ１０＝７６
ｃｍ／分、Ｖ２＝８０ｃｍ／分）とした以外は参考例３と同様にして、３０版を通版した
。ライダーロール１０を取り付けた搬送ロール２には３０版ではシリコーンゴムのカスが
まったくみられなかった。結果を表１に示す。
【００３６】
（実施例２）
搬送ロール２とライダーロール１０の周速差をＶ１０／Ｖ２＝０．９０（Ｖ１０＝７２
ｃｍ／分、Ｖ２＝８０ｃｍ／分）とした以外は参考例３と同様にして、３０版を通版した
。ライダーロール１０を取り付けた搬送ロール２には３０版ではシリコーンゴムのカスが
まったくみられなかった。結果を表１に示す。
【００３７】
（実施例３）
搬送ロール２とライダーロール１０の周速差をＶ１０／Ｖ２＝０．８０（Ｖ１０＝６４
ｃｍ／分、Ｖ２＝８０ｃｍ／分）とした以外は参考例３と同様にして、３０版を通版した
。ライダーロール１０を取り付けた搬送ロール２には３０版ではシリコーンゴムのカスが
まったくみられなかった。結果を表１に示す。
【００３８】
（実施例４）
搬送ロール２とライダーロール１０の周速差をＶ１０／Ｖ２＝０．２０（Ｖ１０＝１６
ｃｍ／分、Ｖ２＝８０ｃｍ／分）とした以外は参考例３と同様にして、３０版を通版した
。ライダーロール１０を取り付けた搬送ロール２には３０版ではシリコーンゴムのカスが
まったくみられなかった。結果を表１に示す。
【００３９】
（実施例５）
自動現像機として水なし平版印刷版用自動現像機ＴＷＬ−８６０Ｆ（東レ（株）製）を
使用した。前処理工程部にＰＰ−Ｆ（東レ（株）製、水なし平版印刷版用前処理液）を入
れ、現像工程部には水を、後処理工程部にはＰＡ−Ｆ（東レ（株）製、水なし平版用現像
後処理液）を、水洗工程部には水を入れた。現像工程部のブラシロール５の下流にある搬
送ロール２の上部にφ２５ｍｍのライダーロール１０を取り付けた。
【００４０】
縦５６０ｍｍ×横６７０mm のＴＡＰ−ＤＧ１（東レ（株）製、ポジ型水なし平版）に１７５線／インチで網点面積率が５０％のポジフィルムを水平型真空焼付機Ｐ−８０６−Ｉ（大日本スクリーン製造（株）製）にて６０秒真空密着させ、その後６０秒間露光した後、版から保護フィルムを剥離した。
【００４１】
保護フィルムを剥離した版を３０版、自動現像機に通版した。なお搬送ロール２の材質はブチルゴム、ライダーロール１０の材質はステンレス（ＳＵＳ３０４）であり、搬送ロール２へのライダーロール１０の押し込み量は０．４ｍｍで行った。また搬送ロール２とライダーロール１０の周速差はＶ１０／Ｖ２＝０．９０（Ｖ１０＝７２ｃｍ／分、Ｖ２＝８０ｃｍ／分）として通版した。ライダーロール１０を取り付けた搬送ロールには３０版ではシリコーンゴムのカスがまったくみられなかった。結果を表１に示す。
【００４２】
【表１】
0005277840.tif 000002
【図面の簡単な説明】
【００４３】
【図１】本発明に関わる自動現像機の一例を示す概略図である。
【図２】本発明に関わるライダーロール１０と搬送ロール２との間にギヤを設置した一例を示す図である。
【図３】本発明に関わるローラーニップ調整用ボルトの一例を示す図である。
【符号の説明】
【００４４】
１：平版
２：搬送ロール
３：モルトンロール
４：シャワーパイプ
５：ブラシロール（現像工程部）
６：ブラシロール（後処理工程部）
７：ブラシロール（水洗工程部）
８：ブラシ受けロール
９：ライダーロール
１０：ライダーロール
１１：ファン
１２：挿入台
１３：循環ポンプ
１４：フィルター
１５：カス取りネット
１６：ギヤ
１７：ローラーニップ圧調整用ボルト
【図１】
0005277840.tif 000003
【図２】
0005277840.tif 000004
【図３】
0005277840.tif 000005